(57)【要約】      （修正有）【課題】無線通信用カードを挿入するスロットを複数有する情報処理装置において、無線通信用カードを挿入する適切なスロットをユーザに通知する。【解決手段】情報処理装置１０の第１の面に設けられた第１のスロットと前記情報処理装置１０における前記第１の面とは異なる第２の面に設けられた第２のスロットを有し、どちらの面が上向きになっているかを検出するセンサと、前記情報処理装置１０が置かれた向きに応じて、前記第１のスロットと前記第２のスロットのどちらのスロットに無線通信用カードを挿入すべきかを指示するテーブルとを有し、前記センサの検出した前記情報処理装置１０が置かれた向きに基づいて、前記テーブルを検索し、前記第１のスロットと前記第２のスロットのどちらのスロットに無線通信用カードを挿入すべきかを、ユーザに通知する。【選択図】図１
2006195951.tif 000002
【特許請求の範囲】
【請求項１】
複数の面を備えて構成された情報処理装置であって、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
前記センサの検出した当該情報処理装置が置かれた向きに基づいて、前記テーブルを検索し、前記第１のスロットと前記第２のスロットのどちらのスロットに無線通信用カードを挿入すべきかを選択する、検索選択部と、
前記検索選択部で選択したスロットを、ユーザに通知する、第１通知部と、
を備えることを特徴とする情報処理装置。
【請求項２】
前記第１の面と前記第２の面は、互いに直交する面である、ことを特徴とする請求項１に記載の情報処理装置。
【請求項３】
前記第１のスロットは、前記第１の面における中央部分近傍の位置に設けられており、前記第２のスロットは、前記第２の面における中央部分近傍の位置に設けられている、ことを特徴とする請求項１又は請求項２に記載の情報処理装置。
【請求項４】
前記第１の面と前記第２の面の双方に直交する１つの面を第３の面とし、前記第１の面と前記第２の面の双方に直交するもう１つの面を第４の面とした場合において、
前記第１のスロットは、前記第１の面における前記第３の面又は前記第４の面の一方に偏った位置に設けられており、
前記第２のスロットは、前記第２の面における前記第３の面又は前記第４の面の他方に偏った位置に設けられている、
ことを特徴とする請求項２に記載の情報処理装置。
【請求項５】
前記第１のスロットは、前記第２の面が下向きになるように当該情報処理装置が置かれた場合に、可能な限り高い位置になるように前記第１の面に配置されており、
前記第２のスロットは、前記第１の面が下向きになるように当該情報処理装置が置かれた場合に、可能な限り高い位置になるように前記第２の面に配置されている、
ことを特徴とする請求項２、又は、請求項４に記載の情報処理装置。
【請求項６】
前記第１のスロット又は前記第２のスロットに無線通信用カードが挿入されたことを検出する、挿入検出部と、
前記挿入検出部で無線通信用カードが挿入されたことを検出したスロットと、前記検索選択部で無線通信用カードを挿入すべきであると選択したスロットとが、異なる場合には、その旨をユーザに通知する、第２通知部と、
をさらに備えることを特徴とする請求項１乃至請求項５のいずれかに記載の情報処理装置。
【請求項７】
前記第１のスロットと前記第２のスロット以外にも、無線通信用カードが挿入されるスロットが設けられている、ことを特徴とする請求項１乃至請求項６のいずれかに記載の情報処理装置。
【請求項８】
前記センサは、当該情報処理装置に加わった加速度を検出する加速度センサにより構成されている、ことを特徴とする請求項１乃至請求項７のいずれかに記載の情報処理装置。
【請求項９】
機械的動作を伴ってデータの読み書きをする補助記憶装置をさらに備えており、
前記センサが、当該情報処理装置の自由落下を検出した場合には、前記補助記憶装置のデータを保護するために必要な処置を講ずる、ことを特徴とする請求項８に記載の情報処理装置。
【請求項１０】
複数の面を備えて構成された情報処理装置の制御方法であり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置の制御方法であって、
前記センサを用いて、当該情報処理装置が置かれた向きを検出するステップと、
検出された当該情報処理装置の向きに基づいて、前記テーブルを検索し、前記第１のスロットと前記第２のスロットのどちらのスロットに無線通信用カードを挿入すべきかを選択するステップと、
前記選択したスロットを、ユーザに通知するステップと、
を備えることを特徴とする情報処理装置の制御方法。
【請求項１１】
複数の面を備えて構成された情報処理装置を制御するためのプログラムであり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置を制御するためのプログラムであって、
前記センサを用いて、当該情報処理装置が置かれた向きを検出するステップと、
検出された当該情報処理装置の向きに基づいて、前記テーブルを検索し、前記第１のスロットと前記第２のスロットのどちらのスロットに無線通信用カードを挿入すべきかを選択するステップと、
前記選択したスロットを、ユーザに通知するステップと、
を当該情報処理装置に実行させるためのプログラム。
【請求項１２】
複数の面を備えて構成された情報処理装置を制御するためのプログラムが記録された記録媒体であり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置を制御するためのプログラムが記録された記録媒体であって、
前記センサを用いて、当該情報処理装置が置かれた向きを検出するステップと、
検出された当該情報処理装置の向きに基づいて、前記テーブルを検索し、前記第１のスロットと前記第２のスロットのどちらにスロットに無線通信用カードを挿入すべきかを選択するステップと、
前記選択したスロットを、ユーザに通知するステップと、
を当該情報処理装置に実行させるためのプログラムが記録された記録媒体。
【請求項１３】
複数の面を備えて構成された情報処理装置であって、
無線通信用カードが挿入される第１のスロットであって、当該情報処理装置の第１の面に設けられた、第１のスロットと、
無線通信カードが挿入される第２のスロットであって、当該情報処理装置における前記第１の面と直交する第２の面に設けられた、第２のスロットと、
を備えることを特徴とする情報処理装置。
【請求項１４】
前記第１のスロットは、前記第１の面における中央部分近傍の位置に設けられており、前記第２のスロットは、前記第２の面における中央部分近傍の位置に設けられている、ことを特徴とする請求項１３に記載の情報処理装置。
【請求項１５】
前記第１の面と前記第２の面の双方に直交する１つの面を第３の面とし、前記第１の面と前記第２の面の双方に直交するもう１つの面を第４の面とした場合において、
前記第１のスロットは、前記第１の面における前記第３の面又は前記第４の面の一方に偏った位置に設けられており、
前記第２のスロットは、前記第２の面における前記第３の面又は前記第４の面の他方に偏った位置に設けられている、
ことを特徴とする請求項１３に記載の情報処理装置。
【請求項１６】
前記第１のスロットは、前記第２の面が下向きになるように当該情報処理装置が置かれた場合に、可能な限り高い位置になるように前記第１の面に配置されており、
前記第２のスロットは、前記第１の面が下向きになるように当該情報処理装置が置かれた場合に、可能な限り高い位置になるように前記第２の面に配置されている、
ことを特徴とする請求項１３、又は、請求項１５に記載の情報処理装置。
【請求項１７】
前記第１のスロットと前記第２のスロット以外にも、無線通信用カードが挿入されるスロットが設けられている、ことを特徴とする請求項１３乃至請求項１６のいずれかに記載の情報処理装置。
【発明の詳細な説明】
【技術分野】
【０００１】
本発明は、情報処理装置に関し、特に、無線通信用カードを挿入するスロットが複数設けられている情報処理装置に関する。
【背景技術】
【０００２】
小型で持ち運び可能な情報処理装置が広く普及してきている。このような小型の情報処理装置は、持ち運んだ上で、様々な場所に置いて使用することができるため、非常に利便性が高い。そして、このような小型の情報処理装置においても、他の情報処理装置と通信する必要がある場合もあり、この通信手段として、無線通信が用いられることもある。
【０００３】
無線通信は、ケーブルを情報処理端末の間に接続しなくてもよいことから、ユーザにとって使い勝手がよいという利点を有している。しかし、小型の情報処理装置においては、その装置内部にアンテナを張るスペースを十分にとることができないという問題がある。或いは、アンテナを張るためのスペースがあったとしても、ユーザは情報処理装置を容易に移動できるため、実際に使用される際に、様々な向きに情報処理装置が置かれて、使用されることがあり、その向きによっては、内部にアンテナを張ったとしても、必要な感度が得られないという問題がある。
【０００４】
特開２００４−２８８５７４号公報（以下、特許文献１という）は、情報処理装置の傾きを検出して、この傾きに拘わらず安定して燃料電池に発電用燃料を供給するシステムを開示する。しかし、このシステムでは、無線通信の感度の向上を図ることはできない。
【特許文献１】特開２００４−２８８５７４号公報
【発明の開示】
【発明が解決しようとする課題】
【０００５】
そこで本発明は、前記課題に鑑みてなされたものであり、無線通信用カードを挿入するスロットを複数有する情報処理装置において、この情報処理装置の向きを検出し、この向きに応じて、無線通信用カードを挿入する適切なスロットをユーザに通知することのできる情報処理装置をを提供することを目的とする。
【０００６】
また、本発明は、様々な向きに情報処理装置が置かれた場合でも、適切なスロットに無線通信用カードを挿入する選択肢をユーザに与えることができるように、複数のスロットを配置した、情報処理装置を提供することを目的とする。
【課題を解決するための手段】
【０００７】
上記課題を解決するため、本発明に係る情報処理装置は、
複数の面を備えて構成された情報処理装置であって、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
前記センサの検出した当該情報処理装置が置かれた向きに基づいて、前記テーブルを検索し、前記第１のスロットと前記第２のスロットのどちらのスロットに無線通信用カードを挿入すべきかを選択する、検索選択部と、
前記検索選択部で選択したスロットを、ユーザに通知する、第１通知部と、
を備えることを特徴とする。
【０００８】
この場合、前記第１の面と前記第２の面は、互いに直交する面であってもよい。
【０００９】
また、前記第１のスロットは、前記第１の面における中央部分近傍の位置に設けられており、前記第２のスロットは、前記第２の面における中央部分近傍の位置に設けられているようにしてもよい。
【００１０】
或いは、前記第１の面と前記第２の面の双方に直交する１つの面を第３の面とし、前記第１の面と前記第２の面の双方に直交するもう１つの面を第４の面とした場合において、
前記第１のスロットは、前記第１の面における前記第３の面又は前記第４の面の一方に偏った位置に設けられており、
前記第２のスロットは、前記第２の面における前記第３の面又は前記第４の面の他方に偏った位置に設けられているようにしてもよい。
【００１１】
また、前記第１のスロットは、前記第２の面が下向きになるように当該情報処理装置が置かれた場合に、可能な限り高い位置になるように前記第１の面に配置されており、
前記第２のスロットは、前記第１の面が下向きになるように当該情報処理装置が置かれた場合に、可能な限り高い位置になるように前記第２の面に配置されているようにしてもよい。
【００１２】
また、前記第１のスロット又は前記第２のスロットに無線通信用カードが挿入されたことを検出する、挿入検出部と、
前記挿入検出部で無線通信用カードが挿入されたことを検出したスロットと、前記検索選択部で無線通信用カードを挿入すべきであると選択したスロットとが、異なる場合には、その旨をユーザに通知する、第２通知部と、
をさらに備えるようにしてもよい。
【００１３】
また、前記第１のスロットと前記第２のスロット以外にも、無線通信用カードが挿入されるスロットが設けられているようにしてもよい。
【００１４】
また、前記センサは、当該情報処理装置に加わった加速度を検出する加速度センサにより構成されるようにしてもよい。
【００１５】
この場合、機械的動作を伴ってデータの読み書きをする補助記憶装置をさらに備えており、前記センサが、当該情報処理装置の自由落下を検出した場合には、前記補助記憶装置のデータを保護するために必要な処置を講ずるようにしてもよい。
【００１６】
本発明に係る情報処理装置の制御方法は、
複数の面を備えて構成された情報処理装置の制御方法であり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置の制御方法であって、
前記センサを用いて、当該情報処理装置が置かれた向きを検出するステップと、
検出された当該情報処理装置の向きに基づいて、前記テーブルを検索し、前記第１のスロットと前記第２のスロットのどちらにスロットに無線通信用カードを挿入すべきかを選択するステップと、
前記選択したスロットを、ユーザに通知するステップと、
を備えることを特徴とする。
【００１７】
本発明に係るプログラムは、
複数の面を備えて構成された情報処理装置を制御するためのプログラムであり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置を制御するためのプログラムであって、
前記センサを用いて、当該情報処理装置が置かれた向きを検出するステップと、
検出された当該情報処理装置の向きに基づいて、前記テーブルを検索し、前記第１のスロットと前記第２のスロットのどちらのスロットに無線通信用カードを挿入すべきかを選択するステップと、
前記選択したスロットを、ユーザに通知するステップと、
を当該情報処理装置に実行させることを特徴とする。
【００１８】
本発明に係る記録媒体は、
複数の面を備えて構成された情報処理装置を制御するためのプログラムが記録された記録媒体であり、
無線通信用カードが挿入される第１のスロットであって、当該情報処理装置の第１の面に設けられた、第１のスロットと、
無線通信カードが挿入される第２のスロットであって、当該情報処理装置における前記第１の面とは異なる第２の面に設けられた、第２のスロットと、
どちらの面が上向きになるように当該情報処理装置が置かれたかを検出する、センサと、
当該情報処理装置が置かれた向きに応じて、前記第１のスロットと前記第２のスロットのどちらのスロットに、無線通信用カードを挿入すべきかを保持する、テーブルと、
を備える情報処理装置を制御するためのプログラムが記録された記録媒体であって、
前記センサを用いて、当該情報処理装置が置かれた向きを検出するステップと、
検出された当該情報処理装置の向きに基づいて、前記テーブルを検索し、前記第１のスロットと前記第２のスロットのどちらのスロットに無線通信用カードを挿入すべきかを選択するステップと、
前記選択したスロットを、ユーザに通知するステップと、
を当該情報処理装置に実行させるためのプログラムが記録されたことを特徴とする。
【００１９】
本発明に係る情報処理装置は、
複数の面を備えて構成された情報処理装置であって、
無線通信用カードが挿入される第１のスロットであって、当該情報処理装置の第１の面に設けられた、第１のスロットと、
無線通信カードが挿入される第２のスロットであって、当該情報処理装置における前記第１の面と直交する第２の面に設けられた、第２のスロットと、
を備えることを特徴とする。
【００２０】
この場合、前記第１のスロットは、前記第１の面における中央部分近傍の位置に設けられており、前記第２のスロットは、前記第２の面における中央部分近傍の位置に設けられているようにしてもよい。
【００２１】
或いは、前記第１の面と前記第２の面の双方に直交する１つの面を第３の面とし、前記第１の面と前記第２の面の双方に直交するもう１つの面を第４の面とした場合において、
前記第１のスロットは、前記第１の面における前記第３の面又は前記第４の面の一方に偏った位置に設けられており、
前記第２のスロットは、前記第２の面における前記第３の面又は前記第４の面の他方に偏った位置に設けられているようにしてもよい。
【００２２】
また、前記第１のスロットは、前記第２の面が下向きになるように当該情報処理装置が置かれた場合に、可能な限り高い位置になるように前記第１の面に配置されており、
前記第２のスロットは、前記第１の面が下向きになるように当該情報処理装置が置かれた場合に、可能な限り高い位置になるように前記第２の面に配置されているようにしてもよい。
【００２３】
また、前記第１のスロットと前記第２のスロット以外にも、無線通信用カードが挿入されるスロットが設けられているようにしてもよい。
【発明を実施するための最良の形態】
【００２４】
〔第１実施形態〕
図１は、本発明の第１実施形態に係る情報処理装置１０の内部構成を説明するブロック図であり、図２は、この情報処理装置１０の外観斜視図である。
【００２５】
図２に示すように、本実施形態に係る情報処理装置１０は、小型の持ち運び可能な情報処理装置であり、情報処理装置１０の上面が上向きになるように置かれた状態を示している。そして、この情報処理装置１０の前面には、表示部ＤＳＰと、操作ボタンＢ１０〜Ｂ１４とが設けられている。
【００２６】
また、情報処理装置１０の上面には、無線通信用カードＷＣＤを挿入するためのスロットＡが設けられており、その右面には、同じく無線通信用カードＷＣＤを挿入するためのスロットＢが設けられている。すなわち、ユーザが、スロットＡ又はスロットＢのいずれかに無線通信用カードＷＣＤを挿入することにより、この情報処理装置１０を他の情報処理装置と無線通信させることができるように構成されている。また、本実施形態においては、上面の中央部分近傍の位置にスロットＡが設けられており、右面の中央部分近傍の位置にスロットＢが設けられている。
【００２７】
さらに、図１に示すように、本実施形態に係る情報処理装置１０は、ＣＰＵ（Central Processing Unit）２０と、表示部コントローラ２２と、表示部ＤＳＰと、センサ２６と、ユーザインターフェース２８と、ＲＯＭ（Read Only Memory）３０と、ＲＡＭ（Random Access Memory）３２と、ハードディスクドライブ３４と、コントローラ３６とを備えて構成されている。
【００２８】
ＣＰＵ２０は、この情報処理装置１０において必要な各種の処理を実行する。本実施形態においては、ＣＰＵ２０は、特に、後述する適正スロット通知処理を実行する。表示部ＤＳＰは、情報を表示するディスプレイであり、本実施形態においては、例えばＬＣＤ（Liquid Crystal Display）により構成されている。表示部コントローラ２２は、ＣＰＵ２０からの指示に基づいて、表示部ＤＳＰの表示を制御する処理を行う。ユーザインターフェース２８は、ユーザから操作入力を受け付けるためのインターフェースであり、例えば、上述した操作ボタンＢ１０〜Ｂ１４から構成されている。
【００２９】
コントローラ３６は、２つのスロットＡ、スロットＢに挿入された各種のカードの制御を行う。本実施形態においては、スロットＡとスロットＢは、例えば、ＳＤカードスロットにより構成されており、コントローラ３６はＳＤコントローラにより構成されている。
【００３０】
スロットＡ又はスロットＢに挿入された無線通信用カードＷＣＤを介して、この情報処理装置１０は、無線ＬＡＮに接続され、この無線ＬＡＮに接続されている他の情報処理装置４０と無線通信を行うことができるようになる。他の情報処理装置４０は、例えば、パーソナルコンピュータや、ＤＶＤレコーダ、テレビなど様々な装置が想定される。通信相手である情報処理装置４０は、無線通信部４２を備えており、この無線通信部４０を介して、この情報処理装置４０が無線ＬＡＮに接続されることとなる。無線通信部４０は、情報処理装置１０と同様に、無線通信用カードＷＣＤにより構成されていてもよいし、内蔵された無線送受信器により構成されていてもよい。
【００３１】
センサ２６は、この情報処理装置１０の置かれた向きを検出するための装置である。このセンサ２６により、情報処理装置１０は、（１）前面が上向きになるように置かれたか、
（２）後面が上向きになるように置かれたか、（３）上面が上向きになるように置かれたか、（４）下面が上向きになるように置かれたか、（５）左面が上向きになるように置かれたか、（６）右面が上向きになるように置かれたかを、検出することができる。
【００３２】
図３は、本実施形態に係る情報処理装置１０が実行する適正スロット通知処理の内容を説明するフローチャートを示す図である。本実施形態においては、この適正スロット通知処理は、ＲＯＭ３０又はハードディスクドライブ３４に格納された適正スロット通知プログラムを、ＣＰＵ２０が読み込んで実行することにより実現される処理である。この適正スロット通知処理を起動するタイミングは様々なものが考えられるが、例えば、ユーザが情報処理装置１０の電源を投入した際に自動的に起動されるようにしてもよいし、ユーザが適正スロット通知処理の起動指示を情報処理装置１０に入力した場合に起動されるようにしてもよいし、ユーザが無線通信用カードＷＣＤをスロットＡ又はスロットＢから抜いた場合に起動されるようにしてもよい。
【００３３】
この図３に示すように、まず、情報処理装置１０は、センサ２６を用いて、情報処理装置１０の置かれている向きを検出する（ステップＳ１０）。続いて、情報処理装置１０は、ＲＯＭ３０に格納されている対応テーブルを参照して（ステップＳ１２）、無線通信用カードＷＣＤを挿入すべきスロットを選択する（ステップＳ１４）。
【００３４】
図４は、ＲＯＭ３０に格納されている対応テーブルＴＢ１０の構成の一例を示す図である。この図４に示すように、対応テーブルＴＢ１０には、情報処理装置１０の向きに応じて、スロットＡに無線通信用カードＷＣＤを挿入するのが適切なのか、それとも、スロットＢに無線通信用カードＷＣＤを挿入するのが適切なのかを示す情報が格納されている。例えば、情報処理装置１０の上面が上向きに置かれている場合には、スロットＡに無線通信用カードＷＣＤを挿入するのが適切であり、スロットＢに無線通信用カードＷＣＤ以外のカードを挿入するのが適切であることが分かる。
【００３５】
したがって、上述したステップＳ１２及びステップＳ１４では、この対応テーブルＴＢ１０を検索して、どちらのスロットに無線通信用カードＷＣＤを挿入した方がよいのかを調べる。なお、本実施形態では、この対応テーブルＴＢ１０をＲＯＭ３０に予め格納しておくようにしたが、ハードディスクドライブ３４に予め格納しておくようにしてもよい。
【００３６】
次に、図３に示すように、情報処理装置１０は、ステップＳ１４で選択したスロットをユーザに通知する（ステップＳ１６）。本実施形態においては、どのスロットに無線通信用カードＷＣＤを挿入すべきかを、表示部ＤＳＰに表示することにより、ユーザに通知する。例えば、ステップＳ１４においてスロットＡが選択された場合には、表示部ＤＳＰに「スロットＡに無線通信用カードを挿入して下さい」と表示される。
【００３７】
次に、情報処理装置１０は、何らかのカードが、スロットＡ又はスロットＢに挿入されたかどうかを判断する（ステップＳ１８）。いずれのスロットにもカードが挿入されていない場合（ステップＳ１８：ＮＯ）には、このステップＳ１８を繰り返す。
【００３８】
一方、何らかのカードが、スロットＡ又はスロットＢに挿入された場合（ステップＳ１８：ＹＥＳ）には、情報処理装置１０は、挿入されたカードが無線通信用カードＷＣＤであるかどうかを判断する（ステップＳ２０）。
【００３９】
挿入されたカードが無線通信用カードＷＣＤである場合（ステップＳ２０：ＹＥＳ）には、その無線通信用カードＷＣＤが適切なスロットに挿入されたのかどうかを判断する（ステップＳ２２）。すなわち、ステップＳ１４で選択したスロットに、ユーザが無線通信用カードＷＣＤを挿入したかどうかを判断する。ユーザが、適切なスロットに無線通信用カードＷＣＤを挿入していた場合（ステップＳ２２：ＹＥＳ）には、この適正スロット通知処理を終了する。
【００４０】
一方、適切なスロットに無線通信用カードＷＣＤが挿入されていない場合（ステップＳ２２：ＮＯ）には、ユーザにその旨を通知する（ステップＳ２４）。本実施形態においては、表示部ＤＳＰに「適切ではないスロットに無線通信用カードが挿入されました」と表示する。そして、この適正スロット通知処理を終了する。この通知に基づいて、無線通信用カードＷＣＤを挿入するスロットを変更するかどうかは、ユーザに委ねられている。
【００４１】
これに対して、上述したステップＳ２０において、挿入されたカードが無線通信用カードＷＣＤでないと判断した場合（ステップＳ２０：ＮＯ）には、情報処理装置１０は、スロットが挿入されたカードで一杯であるかどうかを判断する（ステップＳ２６）。本実施形態においては、スロットＡ及びスロットＢの２つのスロットが用意されているので、この２つのスロットの双方に何らかのカードが挿入されているかどうかを判断する。
【００４２】
スロットが一杯でない場合（ステップＳ２６：ＮＯ）には、まだ挿入するスロットが空いていることになるので、上述したステップＳ１８の処理に戻る。一方、スロットが一杯である場合（ステップＳ２６：ＹＥＳ）には、もうカードを挿入できるスロットがないことになるので、この適正スロット通知処理を終了する。
【００４３】
図５は、センサ２６の構成の一例を説明する図である。この図５に示すように、センサ２６は、例えば、６個のフォトインタラプタＰＩ１〜ＰＩ６により構成することができる。各フォトインタラプタは、光を放出する発光ダイオードと、この光を受光するフォトトランジスタと、この発光ダイオードとフォトトランジスタとの間に挿入された球体とを備えて構成されている。球体は、フォトインタラプタの向きにより内部を移動し、発光ダイオードからフォトトランジスタへの光を遮断したり、通過させたりする。この原理により、フォトインタラプタＰＩ１は、Ｙ軸が上向きであることを検出し、フォトインタラプタＰＩ４は、−Ｙ軸が上向きであることを検出する。このようなフォトインタラプタをＸ軸、−Ｘ軸、Ｚ軸、−Ｚ軸にも設けることにより、６方向の向きを検出することが可能になる。
【００４４】
以上のように、本実施形態に係る情報処理装置１０は、様々な置き方で使用されることが想定されるが、どのような向きに置かれた場合でも、その向きを検出し、複数あるスロットのうち、どのスロットに無線通信用カードＷＣＤを挿入すれば良好な感度が得られるかを、適切にユーザに知らせることができる。
【００４５】
これまでは、複数のスロットが情報処理装置１０に設けられている場合には、どのスロットに無線通信用カードＷＣＤを挿入すれば良好な感度が得られるかを、ユーザは無線通信用カードＷＣＤを実際にスロットに挿入して、トライ・アンド・エラーを行って確認する必要があり、煩雑であった。しかし、本実施形態によれば、無線通信用カードＷＣＤを挿入すべきスロットが特定されるので、ユーザはこのような煩雑な操作から解放されることができる。
【００４６】
また、本実施形態においては、情報処理装置１０の互いに直交する面（上面と右面）にスロットを設けることとしたので、情報処理装置１０がどのような向きに置かれる場合でも、いずれかのスロットを用いて良好な受信感度を得ることができる。
【００４７】
〔第２実施形態〕
本発明の第２実施形態は、上述した第１実施形態におけるスロットＡ及びスロットＢの位置を変更して、スロットＡを上面の前面側に偏った位置に設け、スロットＢを右面の後面に偏った位置に設けるようにしたものである。そして、これにより、前面が上向きになるように置かれた場合、及び、後面が上向きになるように置かれた場合の受信感度の向上を図ったものである。より詳しくを、以下に説明する。
【００４８】
図６は、本実施形態に係る情報処理装置１０の外観斜視図である。この図６に示すように、本実施形態においては、上面に設けられたスロットＡは、その上面の前面側に偏った位置に設けられている。すなわち、上面における前面寄りの位置に、スロットＡは設けられている。一方、右面に設けられたスロットＢは、その右面の後面側に偏った位置に設けられている。すなわち、右面における後面寄りの位置に、スロットＢは設けられている。
【００４９】
換言すれば、上面における、上面と右面の双方に直交する１つの面である前面に偏った位置に、スロットＡが設けられている。また、右面における、上面と右面の双方に直交するもう１つの面である後面に偏った位置に、スロットＢが設けられている。なお、このスロットＡとスロットＢの偏りを入れ替えて、スロットＡを後面側に偏らせて、スロットＢを前面側に偏らせることも可能である。これ以外の構成は、上述した第１実施形態に係る情報処理装置１０と同様である。
【００５０】
図７は、本実施形態に係るＲＯＭ３０に格納されている対応テーブルＴＢ２０の構成の一例を示す図である。この対応テーブルＴＢ２０は、上述した第１実施形態の対応テーブルＴＢ１０と比較すると、後面が上向きになるように情報処理装置１０が置かれた場合のスロットＡとスロットＢの役割が入れ替わっている。すなわち、後面が上向きになるように情報処理装置１０が置かれた場合にはスロットＢがスロットＡより高い位置になるので、スロットＢに無線通信用カードＷＣＤを挿入した方が良好な受信感度を確保できる。
【００５１】
これとは逆に、前面が上向きになるように情報処理装置１０が置かれた場合にはスロットＡがスロットＢより高い位置になるので、スロットＡに無線通信用カードＷＣＤを挿入した方が良好な受信感度を確保できる。
【００５２】
これ以外の点は、上述した第１実施形態と同様である。すなわち、図３に示した適正スロット通知処理では、ステップＳ１２及びステップＳ１４で、図７の対応テーブルＴＢ２０を参照して、無線通信用カードＷＣＤを挿入すべき適正なスロットを選択する。
【００５３】
以上のように、本実施形態に係る情報処理装置１０においては、スロットＡとスロットＢが、異なる高さになるように配置した。換言すれば、スロットＡとスロットＢとを互いに異なる方向に中心位置からずらして配置した。このため、情報処理装置１０をどのような向きに置いたとしても、スロットＡ及びスロットＢのいずれか一方が、他方より高い位置にくることとなり、高い位置にあるスロットを無線通信用カードＷＣＤを挿入すべきスロットとして選択し、ユーザに通知することで、より良好な受信感度を確保することができる。
【００５４】
さらに、本実施形態においては、図８に示すように、上面における前面側に偏った位置で且つ左面側に偏った位置に、スロットＡを設けるとともに、右面における後面側に偏った位置で且つ下面側に偏った位置に、スロットＢを設けるようにしてもよい。換言すれば、スロットＢの設けられた面が下向きの面になる際に、スロットＡが可能な限り高い位置にくるようにスロットＡを配置し、逆に、スロットＡの設けられた面が下向きの面になる際に、スロットＢが可能な限り高い位置にくるようにスロットＢを配置するようにしてもよい。このようにスロットＡ、スロットＢを配置することにより、さらに良好な受信感度の確保を期待することができる。
【００５５】
〔第３実施形態〕
本発明の第３実施形態は、上述した第１実施形態の情報処理装置１０を変形して、或いは、上述した第２実施形態の情報処理装置１０を変形して、この情報処理装置１０に加わった加速度を検出する加速度センサによりセンサ２６を構成するようにしたものである。より詳しくを、以下に説明する。
【００５６】
図９は、本実施形態に係る情報処理装置１０の内部構成を説明するブロック図である。この図９に示すように、本実施形態に係る情報処理装置１０は、フォトインタラプタＰＩ１〜ＰＩ６で構成されたセンサ２６の代わりに、加速度センサにより構成されたセンサ３００を備えている。このセンサ３００は、上述した第１実施形態及び第２実施形態と同様に、この情報処理装置１０の置かれた向きを検出する。さらに、このセンサ３００は、この情報処理装置１０が自由落下状態であるかどうかも検出する。センサ３００が自由落下状態であることを検出した場合には、ハードディスクドライブ３４は内部のデータ破壊を回避するために、アクセスヘッドを格納位置に移動して、データの保護を図る。
【００５７】
図１０は、本実施形態に係るセンサ３００の出力構成を説明する図である。この図１０に示すように、センサ３００は、３軸の加速度センサ３１０とＡ／Ｄ変換器３２０とを備えて構成されている。３軸の加速度センサ３１０からは、Ｘ軸出力信号と、Ｙ軸出力信号と、Ｚ軸出力信号とが、アナログ信号として、Ａ／Ｄ変換器３２０に出力される。
【００５８】
３軸の加速度センサには、例えば、ピエゾ抵抗方式、静電容量方式、磁気センサ方式などの方式がある。また、この加速度センサ３００が検出する加速度には、静的加速度と、動的加速度とがある。これまでの情報処理装置１０においては、自由落下を検出するために動的加速度を用いていたが、本実施形態においては、静的加速度を用いて情報処理装置１０の向きを検出する。ここでは、図１０の加速度センサ３１０は、静的加速度と動的加速度の双方を、Ａ／Ｄ変換器３２０に出力するものとする。Ａ／Ｄ変換器３２０は、入力された静的加速度のＸ軸出力信号と、Ｙ軸出力信号と、Ｚ軸出力信号とに基づいて、どちらの面が上向きであるかを示すデジタル信号を、ＣＰＵ２０に出力する。
【００５９】
なお、加速度センサ３１０から、これらＸ軸出力信号とＹ軸出力信号とＺ軸出力信号とが、デジタル信号として出力される場合には、Ａ／Ｄ変換器３２０は省くことが可能である。
【００６０】
図１１乃至図１４は、３軸の加速度センサ３１０により構成されたセンサ３００の向きと、その出力信号との関係の一例を説明する図である。これら図１１乃至図１４においては、情報処理装置１０の上面が上向きになるように置かれた場合に、センサ３００の面Ａが上向きになり、情報処理装置１０の前面が上向きになるように置かれた場合に、センサ３００の面Ｂが上向きになり、情報処理装置１０の右面が上向きになるように置かれた場合に、センサ３００の面Ｃが上向きになるように、センサ３００が配置されているものとする。
【００６１】
図１１に示すように、センサ３００とＸ軸、Ｙ軸、Ｚ軸の関係を取り、面Ａが上向きになるようにセンサ３００が置かれた場合には、Ｚ軸出力信号が１Ｖになり、Ｘ軸出力信号とＹ軸出力信号とが０Ｖになる。
【００６２】
同じようにＸ軸、Ｙ軸、Ｚ軸の関係を取り、図１２に示すように、センサ３００の面Ｂが上向きになるようにセンサ３００が置かれた場合には、Ｙ軸出力信号が１Ｖになり、Ｘ軸出力信号とＺ軸出力信号とが０Ｖになる。
【００６３】
同じようにＸ軸、Ｙ軸、Ｚ軸の関係を取り、図１３に示すように、センサ３００の面Ａが下向きになるようにセンサ３００が置かれた場合には、Ｚ軸出力信号が−１Ｖになり、Ｘ軸出力信号とＹ軸出力信号とが０Ｖになる。
【００６４】
同じようにＸ軸、Ｙ軸、Ｚ軸の関係を取り、図１４に示すように、センサ３００の面Ａが垂直を維持したまま、面Ｂと面Ｃとが図のように４５度傾いた状態になるように、センサ３００が置かれた場合には、Ｘ軸出力信号が０．５Ｖになり、Ｙ軸出力信号が−０．５Ｖになり、Ｚ軸出力信号が０Ｖになる。
【００６５】
センサ３００のＡ／Ｄ変換器３２０は、これらＸ軸出力信号とＹ軸出力信号とＺ軸出力信号とに基づいて、この情報処理装置１０のどの面が上向きの状態であるかを判断し、その判断結果情報を、ＣＰＵ２０にデジタル信号として出力する。
【００６６】
なお、ユーザがこの情報処理装置１０を誤って落としてしまったような自由落下の際には、動的加速度のＸ軸出力信号とＹ軸出力信号とＺ軸出力信号とが、それぞれ１Ｖになったり、−１Ｖになったりするので、これによりＡ／Ｄ変換器３２０は自由落下が開始したと判断して、ハードディスクドライブ３４にアクセスヘッドを格納するように指示するデジタル信号を出力する。
【００６７】
以上のように、本実施形態に係る情報処理装置１０によれば、情報処理装置１０を誤ってユーザが落としてしまったような場合に、ハードディスクドライブ３４のデータを保護するために搭載されている加速度センサ３１０を用いて、情報処理装置１０の置かれている向きを検出するセンサ３００を構成したので、加速度センサ３１０を共通利用することができ、新たな部品の追加を避けることができる。このため、センサ３００を実現するための追加コストの発生を抑制することができる。また、一般に、ピエゾ抵抗方式、静電容量方式、磁気センサ方式などの加速度センサは、精度が高く、実装面積も小さいというメリットを有する。
【００６８】
なお、本発明は上記実施形態に限定されず種々に変形可能である。例えば、上述した第１実施形態乃至第３実施形態において、スロットを設ける面は任意であり、異なる複数の面にスロットをそれぞれ設けるようにすればよい。この場合、スロットＡを設ける面とスロットＢを設ける面は必ずしも互いに直交する面でなくともよいが、互いに直交する面にそれぞれスロットを設けることにより、情報処理装置１０の置かれた向きに拘わらず、可能な限り高い位置にスロットがくるような選択が可能になる。
【００６９】
また、情報処理装置１０に設けるスロットの数は、２個に限られるものではなく、３個、４個等の複数個であればよい。さらに、例えば３個のスロットを設ける場合、これら３個のスロットを異なる３つの面に設けるようにしてもよいし、或いは、上面に２個のスロットを設け、左面に１個のスロットを設ける等のように、２つの異なる面に３個のスロットを設けるようにしてもよい。具体的には、図１５乃至図１７に示すように、スロットＡ及びスロットＢとは異なる面である左面に、スロットＣを設けるようにしてもよい。或いは、図１８乃至図２０に示すように、スロットＡと同じ面である上面に、スロットＣを設けるようにしてもよい。
【００７０】
また、上述した各実施形態では、無線通信用カードＷＣＤとして、ＳＤカードを想定したが、コンパクトフラッシュ（登録商標）、メモリースティック等の他の仕様の無線通信用カードを用いてもよい。また、無線通信の仕様としては、無線ＬＡＮ以外にも、Bluetoothなどの仕様を用いることもできる。
【００７１】
さらに、本発明は、小型で持ち運びができるような情報処理装置や、置く向きが定まっていない情報処理装置に対して、広く適用することができる。
【００７２】
また、上述した実施形態では、図３におけるステップＳ１６及びステップＳ２４でのユーザへの通知を、表示部ＤＳＰに表示することにより行うこととしたが、他の手法（例えば音声）によりユーザに通知をするようにしてもよい。
【００７３】
また、上述した実施形態では、情報処理装置１０の向きに応じて、無線通信用カードＷＣＤを挿入する適切なスロットをユーザに通知するようにしたが、このような通知機能を省くようにしてもよい。このような通知がなければ、ユーザは自ら考えて、或いは、トライ・アンド・エラーにより適切なスロットを探すこととなる。但し、この場合でも、図２に示すように、スロットＡとスロットＢは互いに直交する面に設けられているので、情報処理装置１０の置いた向きに拘わらず、適切なスロットを選択する選択肢が存在することとなる。また、図６や図８に示すように、偏った位置にスロットＡとスロットＢが設けられているので、より適切なスロットを選択する選択肢が存在することとなる。すなわち、同じ面に無線通信用カードＷＣＤを挿入するための複数のスロットを設けた場合と比べて、ユーザが適切なスロットを選択するための選択肢が存在することとなる。このため、良好な受信感度を確保することが可能になる。
【００７４】
さらに、上述した実施形態で説明したハードディスクドライブ３４は、機械的動作を伴ってデータの読み書きをする補助記憶装置の一例に過ぎない。したがって、上述した第３実施形態において、他の種類の補助記憶装置を用いた場合には、センサ３００が、情報処理装置１０の自由落下を検出した際に、補助記憶装置の機械的構造に応じて、データを保護するために必要な処置を講ずるようにすればよい。
【００７５】
また、上述の実施形態で説明した適正スロット通知処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを情報処理装置１０に読み込ませ、実行させることにより、上述した実施形態を実現することができる。
【００７６】
また、情報処理装置１０は、オペレーティングシステムや別のアプリケーションプログラム等の他のプログラムを備える場合がある。この場合、情報処理装置１０の備える他のプログラムを活用するために、その情報処理装置１０が備えるプログラムの中から、上述した実施形態と同等の処理を実現するプログラムを呼び出すような命令を含むプログラムを、記録媒体に記録するようにしてもよい。
【００７７】
さらに、このようなプログラムは、記録媒体の形ではなく、ネットワークを通じて搬送波として頒布することも可能である。ネットワーク上を搬送波の形で伝送されたプログラムは、情報処理装置１０に取り込まれて、このプログラムを実行することにより上述した実施形態を実現することができる。
【００７８】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ情報処理装置１０は、そのプログラムの復号や伸張を行った上で、実行する必要がある。
【００７９】
さらに、上述した適正スロット通知処理は、図２１に示すように、ソフトウェアではなくハードウェアにより構成することも可能である。この場合、テーブル保持部１００は、上述した対応テーブルＴＢ１０又は対応テーブルＴＢ２０を保持している。このテーブル保持部１００は、ＲＯＭ３０又はハードディスクドライブ３４により構成されている。センサ２６は、上述した第１実施形態及び第２実施形態に対応する場合には、どちらの面が上向きになるように情報処理装置１０が置かれているかを検出する。そして、この検出結果に基づいて、検索選択部１０２は、テーブル保持部１００を検索し、スロットＡとスロットＢのどちらのスロットに無線通信用カードＷＣＤを挿入すべきかを選択する。この選択結果を、通知部１０４は、ディスプレイに表示したり、音声で出力したりすることにより、ユーザに通知する。
【００８０】
挿入検出部１０６は、スロットＡ又はスロットＢに何らかのカードが挿入されたかどうかを検出するとともに、その挿入されたカードが無線通信用カードＷＣＤであるかどうかを判断する。そして、無線通信用カードＷＣＤである場合には、検索選択部１０２で選択したスロットに、無線通信用カードＷＣＤが挿入されたかどうかを判断し、異なるスロットに挿入されている場合には、通知部１０４を介して、その旨をユーザに通知する。また、挿入検出部１０６は、スロットＡとスロットＢの双方に何らかのカードが挿入されているかどうかも判断し、両方のスロットにカードが挿入されている場合には、適正スロット通知処理に必要な処理を終了させる。
【００８１】
上述した第３実施形態に対応する場合には、図２２に示すように、センサ２６の代わりに、加速度センサ３１０を有するセンサ３００を設ける。センサ３００が情報処理装置１０の自由落下を検出した場合には、ハードディスクドライブ３４のデータを保護するためにアクセスヘッドを格納する。テーブル保持部１００は、上述したＲＯＭ３０などのハードディスクドライブ３４以外の記憶装置により構成されていても良し、或いは、ハードディスクドライブ３４により形成されていても良い。
【図面の簡単な説明】
【００８２】
【図１】第１実施形態及び第２実施形態に係る情報処理装置の内部構成の一例を説明するブロック図。
【図２】第１実施形態に係る情報処理装置の外観斜視図。
【図３】第１実施形態及び第２実施形態に係る情報処理装置が実行する適正スロット通知処理の内容を説明するフローチャートを示す図。
【図４】第１実施形態に係る対応テーブルの構成の一例を示す図。
【図５】情報処理装置に内蔵されたセンサの構成の一例を示す図。
【図６】第２実施形態に係る情報処理装置の外観斜視図。
【図７】第２実施形態に係る対応テーブルの構成の一例を示す図。
【図８】第２実施形態の変形例を説明する情報処理装置の外観斜視図。
【図９】第３実施形態に係る情報処理装置の内部構成の一例を説明するブロック図。
【図１０】第３実施形態に係るセンサの内部構成の一例を説明するブロック図。
【図１１】第３実施形態に係るセンサの置かれている向きと、センサ内の３軸加速度センサが出力するＸ軸出力信号とＹ軸出力信号とＺ軸出力信号の電圧の一例を示す図（面Ａが上向きの場合）。
【図１２】第３実施形態に係るセンサの置かれている向きと、センサ内の３軸加速度センサが出力するＸ軸出力信号とＹ軸出力信号とＺ軸出力信号の電圧の一例を示す図（面Ｂが上向きの場合）。
【図１３】第３実施形態に係るセンサの置かれている向きと、センサ内の３軸加速度センサが出力するＸ軸出力信号とＹ軸出力信号とＺ軸出力信号の電圧の一例を示す図（面Ａが下向きの場合）。
【図１４】第３実施形態に係るセンサの置かれている向きと、センサ内の３軸加速度センサが出力するＸ軸出力信号とＹ軸出力信号とＺ軸出力信号の電圧の一例を示す図（面Ｂと面Ｃとが４５度傾いている場合）。
【図１５】３つのスロットを設けた場合における第１実施形態の変形例を説明する情報処理装置の外観斜視図（３つの異なる面に設けた場合）。
【図１６】３つのスロットを設けた場合における第２実施形態の変形例を説明する情報処理装置の外観斜視図（３つの異なる面に設けた場合）。
【図１７】３つのスロットを設けた場合における第２実施形態の別の変形例を説明する情報処理装置の外観斜視図（３つの異なる面に設けた場合）。
【図１８】３つのスロットを設けた場合における第１実施形態の変形例を説明する情報処理装置の外観斜視図（１つの面に２つのスロットを設けた場合）。
【図１９】３つのスロットを設けた場合における第２実施形態の変形例を説明する情報処理装置の外観斜視図（１つの面に２つのスロットを設けた場合）。
【図２０】３つのスロットを設けた場合における第２実施形態の別の変形例を説明する情報処理装置の外観斜視図（１つの面に２つのスロットを設けた場合）。
【図２１】適正スロット通知処理をハードウェアにより実現する場合のハードウェア構成の一例を示す図（第１実施形態及び第２実施形態に対応する場合）。
【図２２】適正スロット通知処理をハードウェアにより実現する場合のハードウェア構成の一例を示す図（第３実施形態に対応する場合）。
【符号の説明】
【００８３】
１０  情報処理装置
２０  ＣＰＵ
２２  表示部コントローラ
２６  センサ
２８  ユーザインターフェース
３０  ＲＯＭ
３２  ＲＡＭ
３４  ハードディスクドライブ
３６  コントローラ
ＤＳＰ  表示部
Ｂ１０〜Ｂ１４  操作ボタン
【図１】
2006195951.tif 000003
【図２】
2006195951.tif 000004
【図３】
2006195951.tif 000005
【図４】
2006195951.tif 000006
【図５】
2006195951.tif 000007
【図６】
2006195951.tif 000008
【図７】
2006195951.tif 000009
【図８】
2006195951.tif 000010
【図９】
2006195951.tif 000011
【図１０】
2006195951.tif 000012
【図１１】
2006195951.tif 000013
【図１２】
2006195951.tif 000014
【図１３】
2006195951.tif 000015
【図１４】
2006195951.tif 000016
【図１５】
2006195951.tif 000017
【図１６】
2006195951.tif 000018
【図１７】
2006195951.tif 000019
【図１８】
2006195951.tif 000020
【図１９】
2006195951.tif 000021
【図２０】
2006195951.tif 000022
【図２１】
2006195951.tif 000023
【図２２】
2006195951.tif 000024